(57)【要約】【課題】作業者の移動の阻害を抑制しつつ、仮設足場の強度を向上できる、補強材およびそれを備えた仮設足場を提供する【解決手段】補強材３２は、仮設足場１００において使用される。補強材３２は、直線状に延びる本体部３４と、本体部３４に固定され、かつ支柱１２の連結金具１８に取り付け可能な第１金具３６と、本体部３４の軸方向において第１金具３６から離れた位置において本体部３４に固定され、かつ支柱１２の連結金具１８に取り付け可能な第２金具３８とを備える。第１金具３６は、くさびによって支柱の金具に固定可能に構成される。第１金具３６および第２金具３８は、本体部３４が支柱１２に並んで上下方向に延びるように、本体部３４を支柱１２に取り付け可能に構成される。【選択図】  図１
2019100077.tif 000002
【特許請求の範囲】
【請求項１】
上下方向に延びる複数の支柱、前記複数の支柱それぞれにおいて上下方向に間隔をおいて固定された複数のくさび緊結用の連結金具、および水平方向において前記複数の支柱同士を連結する複数のつなぎ材を有する仮設足場において使用される補強材であって、
直線状に延びる本体部と、
前記本体部に固定され、かつ前記支柱の連結金具に取り付け可能な第１金具と、
前記本体部の軸方向において前記第１金具から離れた位置において前記本体部に固定され、かつ前記支柱の連結金具に取り付け可能な第２金具と、
を備え、
前記第１金具および前記第２金具のうちの少なくとも一方は、くさびによって前記支柱の連結金具に固定可能に構成され、
前記第１金具および前記第２金具は、前記本体部が前記支柱に並んで上下方向に延びるように、前記本体部を前記支柱に取り付け可能に構成される、補強材。
【請求項２】
前記第１金具および前記第２金具のうちの一方は、くさびによって前記支柱の連結金具に固定可能に構成され、
前記第１金具および前記第２金具のうちの他方は、前記支柱の連結金具に係止可能な鉤形状を有している、請求項１に記載の補強材。
【請求項３】
前記つなぎ材を下方から支持可能な支持部、および前記支持部と前記本体部の前記軸方向における一端部とを連結しかつ前記支持部の前記軸方向における位置を調整する調整部をさらに備える、請求項１または２に記載の補強材。
【請求項４】
前記支持部は、前記つなぎ材の下面を支持した際に前記つなぎ材よりも上方に突出しない、請求項３に記載の補強材。
【請求項５】
上下方向に延びる複数の支柱、前記複数の支柱それぞれにおいて上下方向に間隔をおいて固定された複数のくさび緊結用の連結金具、水平方向において前記複数の支柱同士を連結する複数のつなぎ材、および前記複数の支柱の少なくとも一つに取り付けられた請求項１から４のいずれかに記載の補強材を有する仮設足場。
【発明の詳細な説明】
【技術分野】
【０００１】
本発明は、仮設足場の補強材およびそれを備えた仮設足場に関する。
【背景技術】
【０００２】
従来、工事現場等において、くさび緊結式足場および型枠支保工等の種々の仮設足場が利用されている。
【０００３】
図１２および図１３は、くさび緊結式足場の一例を示す図である。なお、図１２は、くさび緊結式足場を梁間方向から見た模式図であり、図１３は、くさび緊結式足場の一部を桁行方向から見た図である。
【０００４】
図１２および図１３を参照して、くさび緊結式足場１０（以下、足場１０と略記する。）は、桁行方向および梁間方向に間隔をおいて配置された複数の円管状の支柱１２と、桁行方向において支柱１２同士を連結する複数の円管状のつなぎ材１４と、梁間方向において支柱１２同士を連結する複数の円管状のつなぎ材１６とを備えている。また、桁行方向においてつなぎ材１６同士を連結するように、複数の床付き布わく１７が設けられている。
【０００５】
複数の支柱１２はそれぞれ、例えば、金属製の複数のパイプを用いて構成されている。各支柱１２には、複数の連結金具１８が支柱１２の軸方向（上下方向）に間隔をおいて取り付けられている。各連結金具１８は、例えば、支柱１２に溶接されている。複数のつなぎ材１４および複数のつなぎ材１６はそれぞれ、金属製のパイプを用いて構成されている。つなぎ材１４の両端部およびつなぎ材１６の両端部はそれぞれ、くさび２０（図１３参照）を用いて連結金具１８に連結されている。
【０００６】
従来、上記のような足場の強度を向上させるための技術が提案されている。
【０００７】
例えば、特許文献１には、足場構築体の強化装置が開示されている。特許文献１に開示された強化装置は、妻方向（梁間方向）に対向する一対の支柱部材を連結する横架材を下方から支持するように構成されている。具体的には、特許文献１の強化装置は、一対のブレース部材を備えている。一対のブレース部材は、妻方向における互いの距離が大きくなるように、横架材から斜め下方に延びるように設けられている。各ブレース部材の上端部は、固定手段を介して横架材に固定され、各ブレース部材の下端部は、固定手段を介して支柱部材に固定されている。
【０００８】
特許文献１には、上記の強化装置によって横架材を下方から支持することによって、仮設足場を強化できることが記載されている。
【先行技術文献】
【特許文献】
【０００９】
【特許文献１】特開２０１３−１９４４６１号公報
【発明の概要】
【発明が解決しようとする課題】
【００１０】
しかしながら、特許文献１の強化装置では、上述したように、一対のブレース部材が横架材から斜め下方に延びるように設けられる。このため、作業者が仮設足場上を移動する際に、作業者の頭部がブレース部材に接触しやすいという問題がある。すなわち、仮設足場において、作業者の通路が狭くなるという問題がある。
【００１１】
そこで、本発明の目的は、作業者の移動の阻害を抑制しつつ、仮設足場の強度を向上できる、補強材およびそれを備えた仮設足場を提供することにある。
【課題を解決するための手段】
【００１２】
本発明は、下記の補強材および仮設足場を要旨とする。
【００１３】
（１）上下方向に延びる複数の支柱、前記複数の支柱それぞれにおいて上下方向に間隔をおいて固定された複数のくさび緊結用の連結金具、および水平方向において前記複数の支柱同士を連結する複数のつなぎ材を有する仮設足場において使用される補強材であって、
直線状に延びる本体部と、
前記本体部に固定され、かつ前記支柱の連結金具に取り付け可能な第１金具と、
前記本体部の軸方向において前記第１金具から離れた位置において前記本体部に固定され、かつ前記支柱の連結金具に取り付け可能な第２金具と、
を備え、
前記第１金具および前記第２金具のうちの少なくとも一方は、くさびによって前記支柱の連結金具に固定可能に構成され、
前記第１金具および前記第２金具は、前記本体部が前記支柱に並んで上下方向に延びるように、前記本体部を前記支柱に取り付け可能に構成される、補強材。
【００１４】
（２）前記第１金具および前記第２金具のうちの一方は、くさびによって前記支柱の連結金具に固定可能に構成され、
前記第１金具および前記第２金具のうちの他方は、前記支柱の連結金具に係止可能な鉤形状を有している、上記（１）に記載の補強材。
【００１５】
（３）前記つなぎ材を下方から支持可能な支持部、および前記支持部と前記本体部の前記軸方向における一端部とを連結しかつ前記支持部の前記軸方向における位置を調整する調整部をさらに備える、上記（１）または（２）に記載の補強材。
【００１６】
（４）前記支持部は、前記つなぎ材の下面を支持した際に前記つなぎ材よりも上方に突出しない、上記（３）に記載の補強材。
【００１７】
（５）上下方向に延びる複数の支柱、前記複数の支柱それぞれにおいて上下方向に間隔をおいて固定された複数のくさび緊結用の連結金具、水平方向において前記複数の支柱同士を連結する複数のつなぎ材、および前記複数の支柱の少なくとも一つに取り付けられた上記（１）から（４）のいずれかに記載の補強材を有する仮設足場。
【発明の効果】
【００１８】
本発明によれば、作業者の移動の阻害を抑制しつつ、仮設足場の強度を向上することができる。
【図面の簡単な説明】
【００１９】
【図１】図１は、本発明の一実施形態に係る仮設足場の一部を示す図である。
【図２】図２は、本発明の一実施形態に係る補強材を示す図である。
【図３】図３は、補強材の取り付け方法を説明するための図である。
【図４】図４は、補強材の取り付け方法を説明するための図である。
【図５】図５は、補強材の取り付け方法を説明するための図である。
【図６】図６は、補強材の取り付け方法を説明するための図である。
【図７】図７は、補強材の取り付け方法を説明するための図である。
【図８】図８は、図７のＡ−Ａ線断面図である。
【図９】図９は、補強材の変形例を示す図である。
【図１０】図１０は、つなぎ材の支持方法の他の例を示す図である。
【図１１】図１１は、調整部の他の例を示す図である。
【図１２】図１２は、くさび緊結式足場の一例を示す図である。
【図１３】図１３は、くさび緊結式足場の一例を示す図である。
【発明を実施するための形態】
【００２０】
以下、本発明の一実施形態に係る補強材およびそれを備えた仮設足場について説明する。
【００２１】
図１は、本発明の一実施形態に係る仮設足場の一部を示す図である。図１を参照して、本実施形態に係る仮設足場１００は、足場本体３０と、複数の補強材３２とを備えている。なお、足場本体３０は、図１２および図１３において説明した足場１０と同様の構成を有するので、詳細な説明は省略する。
【００２２】
図２は、補強材３２を示す図であり、（ａ）は正面図、（ｂ）は右側面図である。図２を参照して、補強材３２は、直線状に延びる本体部３４、本体部３４に固定された第１金具３６、本体部３４に固定された第２金具３８、側面視において略Ｕ字形状を有する支持部４０、本体部３４の軸方向における一端部と支持部４０とを連結しかつ支持部４０の位置を調整する調整部４２を備えている。
【００２３】
本体部３４は、例えば、円管形状または角管形状を有している。本体部３４は、例えば、鋼等の金属材料からなる。
【００２４】
第１金具３６は、本体部３４の軸方向において、本体部３４の中心よりも一方側に設けられ、第２金具３８は、本体部３４の軸方向において、本体部３４の中心よりも他方側に設けられている。第１金具３６および第２金具３８は、本体部３４が支柱１２に並んで上下方向に延びるように、本体部３４を支柱１２に取り付け可能に構成されている。本実施形態では、第１金具３６および第２金具３８はそれぞれ、本体部３４から、本体部３４の軸方向に垂直な方向に突出するように設けられている。なお、以下において、本体部３４の軸方向における一方側を上方とし、他方側を下方とする。また、上下方向に対して垂直な方向を水平方向とする。
【００２５】
本実施形態では、第１金具３６は、くさび４４（図１参照）によって、足場本体３０の連結金具１８に固定できるように構成されている。第１金具３６は、本体部３４に溶接されている。なお、連結金具１８、第１金具３６、およびくさび４４については、従来のくさび緊結式足場および型枠支保工等において利用されている公知の金具およびくさびを用いることができるので、詳細な説明は省略する。
【００２６】
図１および図２を参照して、第２金具３８は、足場本体３０の連結金具１８に係止可能なように、鉤状に形成されている。第２金具３８は、本体部３４に溶接されている。図２（ｂ）を参照して、本実施形態では、第２金具３８は、本体部３４から斜め上方に突出する第１部３８ａと、本体部３４から離れるように第１部３８ａの先端部から水平方向に延びる第２部３８ｂと、第２部３８ｂの先端部から下方に延びる第３部３８ｃと、本体部３４に近付くように第３部３８ｃの下端部から斜め下方に延びる第４部３８ｄとを有している。なお、以下においては、第４部３８ｄを、返し部３８ｄと記載する。
【００２７】
支持部４０は、上述したように略Ｕ字形状を有し、底部４０ａおよび底部４０ａから上方に立ち上がる一対の立ち上がり部４０ｂを有している。各立ち上がり部４０ｂの中央部かつ上端部には、下方に向かって円弧状に凹む凹部４０ｃが形成されている。支持部４０は、例えば、鋼等の金属材料からなる。
【００２８】
調整部４２は、支持部４０を本体部３４に対して上下方向に移動可能に保持している。本実施形態では、調整部４２は、外周面にねじ山を有するガイド部材４２ａと、内周面に図示しないねじ溝を有する中空状の移動部材４２ｂと、移動部材４２ｂから上方に延びる中空状の連結部材４２ｃとを有している。ガイド部材４２ａは、円管形状または円柱形状を有し、本体部３４の上端部から上方に延びるように設けられている。本実施形態では、ガイド部材４２ａのねじ山と、移動部材４２ｂのねじ溝とが螺合するように、移動部材４２ｂがガイド部材４２ａに嵌め込まれている。連結部材４２ｃは、円管形状または角管形状を有している。連結部材４２ｃの下端部は、移動部材４２ｂに対して回転自在に移動部材４２ｂに支持されている。連結部材４２ｃの上端部には、支持部４０が固定されている。本実施形態では、移動部材４２ｂを回転させることによって、移動部材４２ｂがガイド部材４２ａに対して上下方向に移動する。これにより、支持部４０が、本体部３４に対して上下方向に移動する。また、本実施形態では、移動部材４２ｂを任意の位置で止めることによって、支持部４０の上下方向における位置を固定することができる。なお、詳細な説明は省略するが、連結部材４２ｃが移動部材４２ｂに固定されていてもよい。この場合には、支持部４０は、連結部材４２ｃの上端部に、回転可能に支持される。
【００２９】
図１を参照して、本実施形態では、補強材３２は、上下方向に隣り合う一対のつなぎ材１６の間において、支柱１２に取り付けられる。なお、図１に示した例では、各補強材３２は、梁間方向において一対のつなぎ材１６の内側に位置するように支柱１２に取り付けられているが、梁間方向において一対のつなぎ材１６の外側に位置するように支柱１２に取り付けられてもよい。
【００３０】
図１に示した例では、複数の連結金具１８のうち、上側のつなぎ材１６が連結された連結金具１８の一つ下方に位置する連結金具１８と第１金具３６とが連結され、下側のつなぎ材１６が連結された連結金具１８の一つ上方に位置する連結金具１８と第２金具３８とが連結されている。支柱１２に取り付けた状態において、補強材３２の上下方向における長さは、上下に隣り合う一対の連結金具１８間を１区間とした場合、例えば、３区間以上４区間未満の長さに設定される。具体的には、支柱１２に取り付けた状態において、補強材３２の上下方向における長さは、例えば、約１．４ｍ〜１．８ｍ程度に設定される。図１に示した例では、補強材３２の上下方向における長さは、約３区間に相当する長さに設定されているが、本体部が、図１に示す本体部３４よりもさらに下方に延びていてもよい。なお、本体部３４の上下方向における長さは、１区間以上に設定されることが好ましく、２区間以上に設定されることがより好ましい。
【００３１】
以下、補強材３２の支柱１２への取り付け方法について簡単に説明する。図３から図７は、補強材３２の取り付け方法を説明するための図である。また、図８は、図７のＡ−Ａ線断面図である。
【００３２】
図３および図４を参照して、補強材３２を支柱１２へ取り付ける際には、まず、第２金具３８の返し部３８ｄを連結金具１８のくさび挿入用の孔（図示せず）に上方から差し込む。次に、図５および図６を参照して、第１金具３６と連結金具１８とを嵌め合わせた後、くさび４４によって第１金具３６と連結金具１８とを固定する。
【００３３】
図７および図８を参照して、調整部４２によって支持部４０を上方に移動させ、支持部４０をつなぎ材１６の下面に接触させる。これにより、支柱１２への補強材３２の取り付けが完了する。なお、図８に示すように、本実施形態では、一対の立ち上がり部４０ｂの各凹部４０ｃに、つなぎ材１６の下面が嵌め込まれる。本実施形態では、支持部４０は、つなぎ材１６の下面を支持した状態において、つなぎ材１６よりも上方に突出しない。
【００３４】
以上のように、本実施形態では、第１金具３６および第２金具３８はともに、支柱１２に固定された連結金具１８に取り付けられる。これにより、一対のつなぎ材１６の間において、少なくとも１区間以上の長さにおいて、支柱１２に沿って補強材３２（本体部３４）を配置することができる。その結果、支柱１２の梁間方向への変形を補強材３２によって十分に抑制することができ、支柱１２の座屈を抑制することができる。より具体的には、支柱１２を変形させようとする力が発生しても、その力を、支柱１２だけでなく、補強材３２によっても負担することができる。すなわち、支柱１２および補強材３２によって、支柱１２の変形に抵抗することができる。言い換えると、支柱１２に補強材３２を取り付けることによって、支柱１２の変形に抵抗する部分の断面積を大きくすることができる。これにより、支柱１２の座屈を抑制することができる。
【００３５】
また、本実施形態では、第１金具３６および第２金具３８によって、本体部３４が支柱１２に並んで上下方向に延びるように、補強材３２を支柱１２の近傍に取り付けることができる。これにより、仮設足場１００において作業者が移動する際に、作業者の頭部が補強材３２（本体部３４）に接触することを抑制できる。すなわち、作業者の通路が狭くなることを抑制できる。
【００３６】
以上の結果、本実施形態に係る補強材３２によれば、作業者の移動の阻害を抑制しつつ、仮設足場１００の強度を向上することができる。
【００３７】
また、本実施形態では、支持部４０によって、つなぎ材１６の桁行方向の移動を規制することができる。これにより、仮設足場１００の強度をさらに向上することができる。なお、一般に、支柱１２とつなぎ材１６とが強固に連結されている場合には、支柱１２の変形に同調してつなぎ材１６が変形し、仮設足場１００全体が変形することが考えられる。この点に関して、本実施形態では、支柱１２とつなぎ材１６との連結部から梁間方向に離れた位置において、支持部４０によってつなぎ材１６を下方から支持することによって、つなぎ材１６の変形を十分に抑制することができる。その結果、仮設足場１００全体の変形および座屈を抑制することができる。
【００３８】
また、本実施形態では、調整部４２によって支持部４０の位置を調整することができる。これにより、補強材３２を支柱１２へ取り付けた後に、支持部４０を容易につなぎ材１６に接触させることができる。
【００３９】
また、本実施形態では、第２金具３８の返し部３８ｄの上方への移動は、連結金具１８によって規制される。言い換えると、返し部３８ｄと連結金具１８とが接触することによって、補強材３２の上方への移動が規制される。これにより、補強材３２が支柱１２から外れることを十分に抑制できる。
【００４０】
また、本実施形態では、支持部４０は、つなぎ材１６を下方から支持した際に、つなぎ材１６よりも上方に突出しないように構成されている。この点に関して、上述の特許文献１の強化装置では、ブレース部材の上端部が上部固定手段を介して横架材に連結されているが、上部固定手段が横架材よりも上方に突出している。仮設足場においては、床付き布わくの多くは、床材の上面が横架材の上端とほぼ同じ高さになるように、支柱に取り付けられる。このため、特許文献１の強化装置のように、ブレース部材と横架材とを連結する上部固定手段が横架材すなわち床付き布わくよりも上方に突出している場合、作業者が上部固定手段に躓く可能性がある。これに対して、上記のように、本実施形態では、支持部４０がつなぎ材１６よりも上方に突出していない。このため、作業者が支持部４０に躓くことがなく、支持部４０によって作業者の移動が阻害されることを防止することができる。
【００４１】
上述の実施形態では、補強材３２が第１金具３６および第２金具３８を有する場合について説明したが、補強材３２を支柱１２に取り付けるための金具の数は、２つに限定されない。例えば、補強材が、支柱１２の連結金具１８に連結可能な３つ以上の金具を備えていてもよい。
【００４２】
なお、上述の補強材３２において、第１金具３６および第２金具３８の構成が入れ替わってもよい。この場合、第２金具（上方側に設けられる金具）には、上述の返し部３８ｄは設けられない。
【００４３】
上述の実施形態においては、第１金具および第２金具のうちの一方のみがくさびによって支柱１２の連結金具１８に固定される場合について説明したが、第１金具および第２金具のうちの両方が、くさびによって支柱１２の連結金具１８に固定される構成を有していてもよい。例えば、第２金具３８の代わりに、第１金具３６と同様の構成の金具を第２金具として設けてもよい。
【００４４】
上述の実施形態では、上側のつなぎ材１６が連結された連結金具１８の一つ下方に位置する連結金具１８と第１金具３６とが連結され、下側のつなぎ材１６が連結された連結金具１８の一つ上方に位置する連結金具１８と第２金具３８とが連結されるように、第１金具３６および第２金具３８が設けられているが、第１金具３６および第２金具３８の位置は上述の例に限定されない。例えば、上側のつなぎ材１６が連結された連結金具１８の二つ下方に位置する連結金具１８と連結されるように第１金具３６が設けられてもよく、下側のつなぎ材１６が連結された連結金具１８の二つ上方に位置する連結金具１８に連結されるように第２金具３８が設けられてもよい。
【００４５】
上述の実施形態では、第１金具３６および第２金具３８が本体部３４に溶接される場合について説明したが、第１金具３６および第２金具３８が、他の部材を介して本体部３４に固定されてもよい。また、図９に示す補強材３２ａのように、本体部３４の下端部を変形させることにより第２金具３８０を形成してもよい。
【００４６】
また、上述の実施形態では、各立ち上がり部４０ｂの凹部４０ｃによってつなぎ材１６を下方から支持しているが、図１０に示すように、一対の立ち上がり部４０ｂの間につなぎ材１６を嵌めて、底部４０ａによってつなぎ材１６を下方から支持してもよい。この場合、凹部４０ｃは設けなくてもよい。
【００４７】
また、調整部４２の構成は上述の例に限定されず、支持部４０を上下動させることができる種々の構成を採用することができる。詳細な説明は省略するが、例えば、上述の移動部材４２ｂの代わりに、図１１（ａ）に示すように、傾斜面４６ａを有する中空状の移動部材４６および傾斜面４６ａに接触する位置調整部材４８を設けてもよい。図１１（ａ）に示す調整部４２においても、移動部材４６は、ガイド部材４２ａに対して回転可能に設けられている。ただし、ガイド部材４２ａの外周面にねじ山は形成されておらず、移動部材４６の内周面にもねじ溝は形成されていない。
【００４８】
本実施形態では、移動部材４６を回転させることによって、傾斜面４６ａは、位置調整部材４８に接触しつつ回転する。これにより、移動部材４６が上下動し、連結部材４２ｃおよび支持部４０（図２参照）を上下動させることができる。
【００４９】
また、詳細な説明は省略するが、例えば、図１１（ｂ）に示すように、くさび５０を連結部材４２ｃに打ち込むことによって連結部材４２ｃを上下動できるように、調整部４２を構成してもよい。なお、本実施形態では、連結部材４２ｃは、円柱形状又は各柱形状であってもよい。
【００５０】
上述の実施形態では、足場本体がくさび緊結式足場である場合について説明したが、本発明は、型枠支保工等の他の仮設足場にも適用できる。
【産業上の利用可能性】
【００５１】
本発明によれば、作業者の移動の阻害を抑制しつつ、仮設足場の強度を向上することができる。したがって、本発明は、種々の仮設足場において好適に利用できる。
【符号の説明】
【００５２】
１０  足場（くさび緊結式足場）
１２  支柱
１４，１６  つなぎ材
１７  床付き布わく
１８  連結金具
２０，４４  くさび
３０  足場本体
３２  補強材
３４  本体部
３６  第１金具
３８  第２金具
４０  支持部
４２  調整部
１００  仮設足場
【図１】
2019100077.tif 000003
【図２】
2019100077.tif 000004
【図３】
2019100077.tif 000005
【図４】
2019100077.tif 000006
【図５】
2019100077.tif 000007
【図６】
2019100077.tif 000008
【図７】
2019100077.tif 000009
【図８】
2019100077.tif 000010
【図９】
2019100077.tif 000011
【図１０】
2019100077.tif 000012
【図１１】
2019100077.tif 000013
【図１２】
2019100077.tif 000014
【図１３】
2019100077.tif 000015